(57)【特許請求の範囲】
【請求項１】
頂部に主炎孔を有するバーナ体を相互に通気間隔を存してバーナケース内に複数並設し、これらバーナ体間の通気間隔には、バーナ体に供給する混合ガスよりも希薄な希薄混合ガスを供給するようにしたガス燃焼装置において、前記バーナケースの中間位置にバーナケース内を複数の部屋に仕切る仕切り壁を立設し、この仕切り壁にて仕切られた複数の部屋に、前記バーナ体をそれぞれ複数本ずつ配設するとともに、前記バーナ体間の各通気間隔の上部には副炎孔を有する副炎孔板をそれぞれ設け、さらに、前記仕切り壁の両側の通気間隔の上部には、仕切り壁を跨いで多数の小孔を有する中間副炎孔板を設けたことを特徴とするガス燃焼装置。
【請求項２】
前記中間副炎孔板の小孔の総開口面積が、一つの副炎孔板における副炎孔の総開口面積以下に設定されていることを特徴とする請求項２に記載のガス燃焼装置。
【発明の詳細な説明】
【０００１】
【発明の属する技術分野】
本発明は、ガス給湯機、ガス温水暖房機等に使用されるガス燃焼装置に関し、特にＮＯｘの発生量を低減させたガス燃焼装置に関する。
【０００２】
【従来の技術】
従来のこの種のガス燃焼装置においては、例えば、特開平６−３３１１１０号公報に開示されているように、頂部に主炎孔を有する主体の両側壁に、これらの両側壁と保炎空間を保って一対の保炎板が立設された袖火タイプのバーナ体を備えている。そして、このように構成されたバーナ体を、バーナケース内に相互に通気間隔を存して複数並設し、バーナ体にやや希薄な混合ガスを供給するとともに、バーナ体に供給する混合ガスよりも更に希薄な希薄混合ガスをバーナ体間の通気間隔に供給して、この通気間隔の上方並びにバーナ体の上方で希薄混合ガス多段燃焼させることにより、ＮＯｘの発生量を低減させていた。
【０００３】
【発明が解決しようとする課題】
ところで、上述した従来構造のガス燃焼装置では、バーナ体間の通気間隔に希薄混合ガスを供給する構成であるため、強燃焼時にバーナ体の全数を燃焼させ、弱燃焼時にはバーナ体の半数を燃焼させる燃焼制御が行えないものであり、燃焼幅の拡大が望まれていた。即ち、バーナ体の半数を燃焼させる場合でも、全てのバーナ体間の通気間隔には希薄混合ガスが供給されることになり、燃焼していないバーナ体間の通気間隔を流れる希薄混合ガスは、燃焼することなく通気間隔から流出してガス漏れを生じてしまい、燃焼幅を拡大できないものであった。
【０００４】
また、上述のガス燃焼装置では、希薄混合ガスの流出部となるバーナ体間の通気間隔の上部開放面、即ち、隣接するバーナ体の保炎板間の隙間の面積が大きいため、バーナ体間の通気間隔を流れる二次空気量が突発的に減少したり、バーナ体間の通気間隔を流れガス量が突発的に増加したりすると、希薄混合ガス状態が崩れて引火しやすい混合ガスとなり、通気間隔の上方並びにバーナ体の上方に形成される火炎が、バーナ体間の通気間隔に引き込まれ、逆火を生じる問題があった。また、着火時において、着火遅れが生じた場合でも、同様に逆火を生じる問題があった。
【０００５】
本発明は、上述の実情に鑑みてなされたものであり、ＮＯｘの発生量を低減させつつ、燃焼幅を拡大できるようにすることを目的とするものであり、また他の目的としては、逆火の発生を防止することである。
【０００８】
【課題を解決するための手段】
請求項１に記載の本発明では、頂部に主炎孔を有するバーナ体を相互に通気間隔を存してバーナケース内に複数並設し、これらバーナ体間の通気間隔には、バーナ体に供給する混合ガスよりも希薄な希薄混合ガスを供給するようにしたガス燃焼装置において、前記バーナケースの中間位置にバーナケース内を複数の部屋に仕切る仕切り壁を立設し、この仕切り壁にて仕切られた複数の部屋に、前記バーナ体をそれぞれ複数本ずつ配設するとともに、前記バーナ体間の各通気間隔の上部には副炎孔を有する副炎孔板をそれぞれ設け、さらに、前記仕切り壁の両側の通気間隔の上部には、仕切り壁を跨いで多数の小孔を有する中間副炎孔板を設けた構成である。
【０００９】
請求項１のガス燃焼装置においては、バーナケースの中間位置にバーナケース内を複数の部屋に仕切る仕切り壁を立設し、この仕切り壁にて仕切られた複数の部屋に、バーナ体をそれぞれ複数本ずつ配設した構成としているので、バーナ体の全数を燃焼させる強燃焼時には、全バーナ体間の通気間隔に希薄混合ガスを供給し、また、バーナ体の半数を燃焼させる弱燃焼時には、燃焼させない側のバーナ体間の通気間隔に空気のみを供給してガス燃料を供給しない燃焼制御が可能となり、希薄混合ガス多段燃焼による低ＮＯｘ燃焼を行わせつつ、燃焼させるバーナ体の本数の切り換えにより、燃焼幅が拡大される。また、バーナ体間の各通気間隔の上部に、多数の副炎孔を有する副炎孔板をそれぞれ設けた構成としているので、バーナ体間の通気間隔を流れる二次空気量やガス量が突発的に増減して、希薄混合ガス状態が崩れた場合、或るいは、着火時に着火遅れが生じた場合に、副炎孔板に穿った多数の副炎孔によって、希薄混合ガス噴出用の炎孔面積の大きさを調節することが可能となり、通気間隔内への逆火が抑制される。さらにまた、仕切り壁の両側の通気間隔の上部に、仕切り壁を跨いで多数の小孔を有する中間副炎孔板を設けた構成としているので、点火時や弱燃焼から強燃焼に移行する時には、中間副炎孔板の小孔に形成される炎がパイロット炎となって火移りを良好ならしめるとともに、弱燃焼時には仕切り壁に隣接する燃焼中のバーナ体の火炎が空気冷却されるのを中間副炎孔板の小孔に形成される炎によって抑制でき、そのため、空気の冷却によって燃焼に与える悪影響が小さくなり、ＣＯの発生が低減される。
【００１２】
【発明の実施の形態】
以下、本発明の一実施形態例を図１ないし図５の図面に基づいて説明する。図１ないし図５において、１は送風機、２は送風機１から燃焼用空気が送り込まれる外郭ケース、３は外郭ケース２内に収容されたバーナケースであり、このバーナケース３内には、通気間隔としての二次空気通路４、４を設けて６本のバーナ体５、５を並設している。前記バーナケース３は、それの中間部に立設した仕切壁３Ａによって左右に２分割され、これら左右の部屋Ｘ、Ｙには前記バーナ体５、５がそれぞれ３本ずつ収容されている。
【００１３】
前記バーナ体５、５は、内部に混合室６が形成された主体５Ａの頂部の主炎孔形成面７に多数のスリット状の主炎孔８、８を設けている。そして主体５Ａの左右両側壁の上部には、側壁と保炎空間イ、イを保って左右一対の保炎板９、９が立設されている。
【００１４】
前記保炎空間イ、イには、前記混合室６に供給された混合ガスの一部が側壁に穿った袖火用孔１０、１０を通って入り込み、この入り込んだ混合ガスは保炎空間イ、イを上昇して流出し、保炎空間イ、イ上に袖火が形成されるようになっている。また、前記各保炎板９、９は、その上端が前記主炎孔形成面７よりも約２〜４ｍｍ低くなるようにその高さが設定されている。
【００１５】
前記各バーナ体５の混合室６には空気比が約１〜１．３のやや希薄な混合ガスが供給され、また、各バーナ体５、５間の二次空気通路４、４にはバーナ体５の混合室６に供給される混合ガスよりも更に希薄な希薄混合ガスがそれぞれ供給されるようになっている。そして、この二次空気通路４、４に供給される希薄混合ガスの空気比は通常で約１．５〜１．９である。
【００１６】
前記バーナ体５の隣接する保炎板９、９間には、断面略コ字状に形成された副炎孔板１１、１１がそれぞれ着脱可能に架設してある。この副炎孔板１１は、図１及び図４に示すように、希薄混合ガス噴出用のスリット状や円形状の適宜な形状の副炎孔１２、１２をその長手方向に多数穿った副炎孔形成面１１Ａと、この副炎孔形成面１１Ａの両縁から下向きに折り曲げられた左右の側片１１Ｂ、１１Ｃとを有し、これら両側片１１Ｂ、１１Ｃを前記保炎板９、９に外嵌合することにより、保炎板９の上方から抜き差し自在に保炎板９に取り付けられるものである。
【００１７】
前記副炎孔板１１は、保炎板９に取り付けられた状態で、副炎孔１２、１２を穿った副炎孔形成面１１Ａが保炎板９の上端に当接し、副炎孔形成面１１Ａの高さ位置が規制される。そして、この副炎孔形成面１１Ａの高さ位置は前記バーナ体５の主炎孔形成面７よりも約１〜３ｍｍ低く設定されている。また、前記各副炎孔１２、１２は、それらの長辺の寸法を約３〜２．５ｍｍに設定して、前記バーナ体５の隣接する保炎板９、９間の距離と等しいか、それよりも小さくしている。
【００１８】
また、前記副炎孔板１１の両側片１１Ｂ、１１Ｃには、それぞれ外向き突出させた２〜３個の突起１３、１３を設けている。そして、これら突起１３、１３は、両側片１１Ｂ、１１Ｃの長手方向に所定間隔を存して設けられ、かつ、両側片１１Ｂ、１１Ｃを保炎板９に外嵌合した際に、バーナ体５の側壁外面にその先端が当接する高さに設定されている。
【００１９】
１４は前記仕切り壁３Ａの両側の二次空気通路４Ａ、４Ａの上部に設けられた断面略コ字状の中間副炎孔板であり、この中間副炎孔板１４は、径が約１ｍｍの希薄混合ガス噴出用の多数の小孔１５、１５をその長手方向の両サイドに沿うように２列に並べて穿った小孔形成面１４Ａと、この小孔形成面１４Ａの両縁から下向きに折り曲げられた左右の側片１４Ｂ、１４Ｃとを有し、これら両側片１４Ｂ、１４Ｃを仕切り壁３Ａに隣接するバーナ体５、５の保炎板９．９に外嵌合することにより、仕切り壁３Ａを上から覆うように仕切り壁３Ａを跨いで設けられている。そして、この中間副炎孔板１４の小孔形成面１４Ａに穿った多数の小孔１５、１５の総開口面積は、一つの副炎孔板１１の副炎孔形成面１１Ａに穿った多数の副炎孔１２、１２の総開口面積以下に設定されている。
【００２０】
１６、１６は前記バーナケース３の両側壁３Ｂ、３Ｂとこれら両側壁３Ｂ、３Ｂに近接するバーナ体５、５との間の二次空気通路４Ｂ、４Ｂの上部に設けられた断面略コ字状の端部副炎孔板であり、これら端部副炎孔板１６、１６は、径が約１ｍｍの希薄混合ガス噴出用の多数の孔１７、１７をその長手方向の中央部に沿うように１列に並べて穿った孔形成面１６Ａと、孔形成面１６Ａの両縁から下向きに折り曲げられた左右の側片１６Ｂ、１６Ｃとを有し、これら両側片１６Ｂ、１６Ｃをバーナケース３の側壁３Ｂに装着した係止具１８とバーナ体５の保炎板９に外嵌合することにより、係止具１８及び保炎板９の上方から抜き差し自在に取り付けられるものである。そして、この端部副炎孔板１６の孔形成面１６Ａに穿った多数の孔１７、１７の総開口面積は、一つの副炎孔板１１の副炎孔形成面１１Ａに穿った多数の副炎孔１２、１２の総開口面積の半分以下に設定されている。
【００２１】
次に、図２中に示す燃料ガス供給装置２０について説明する。この燃料ガス供給装置２０は、燃料ガス供給経路に、元電磁弁２１及び比例弁２２を介装するとともに、比例弁２２の下流側で第１経路２３と第２経路２４の２経路に分岐し、これら第１及び第２経路２３、２４にはそれぞれ電磁弁２５、２６を介装している。
【００２２】
前記第１経路２３は、電磁弁２５の下流側で第３経路２７を分岐し、この第３経路２７を前記バーナケース３の左の部屋Ｘの二次空気通路４、４Ａ、４Ｂにガス燃料を供給する第１補助ノズル２８に連結するとともに、第３経路２１の分岐部の下流側は、バーナケース３の左の部屋Ｘの各バーナ体５、５にガス燃料を供給する複数の第１主ノズル２９、２９に連結している。
【００２３】
前記第２経路２４は、電磁弁２６の下流側で第４経路３０を分岐し、この第４経路３０を前記バーナケース３の右の部屋Ｙの二次空気通路４、４Ａ、４Ｂにガス燃料を供給する第２補助ノズル３１に連結するとともに、第４経路３０の分岐部の下流側は、バーナケース３の右の部屋Ｙの各バーナ体５、５にガス燃料を供給する複数の第２主ノズル３２、３２に連結している。
【００２４】
３３は放電点火プラグ等の点火器であり、この点火器３３は点火ロッド３３Ａ先端を、前記バーナケース３の左の部屋Ｘに有る複数のバーナ体５、５のうちの１つのバーナ体５の主炎孔形成面７に近接対向させて、この主炎孔形成面７との間に火花放電を生じさせるようになっている。
【００２５】
３４は炎の有無を検出する炎検出器であり、この炎検出器３４はフレームロッド３４Ａの先端を前記バーナケース３の左の部屋Ｘの複数の副炎孔板１１のうちの１つの副炎孔板１１に近接対向させている。３５は制御部であり、この制御部３５は元電磁弁２１、比例弁２２、電磁弁２５、２６の開閉を制御するとともに、点火器３３の点火動作や、送風機１の回転数可変制御を行って燃焼を制御する。尚、図１中の３６、３６は、前記各副炎孔板１１、１１や中間副炎孔板１４、及び端部副炎孔板１６、１６を上から押さえ付ける押さえ板であり、これらの押さえ板３６、３６は、前記バーナケース３の上面部にネジ３７、３７にて締着されている。３８、３８はバーナケース３の上部の外周部全周に設けられた多数の空気噴出孔である。
【００２６】
上述の構成において、前記各バーナ体５の混合室６に空気比が約１〜１．３のやや希薄な混合ガスが供給され、また、各バーナ体５、５間の二次空気通路４、４Ａ、４Ｂに空気比が約１．５〜１．９の希薄混合ガスが供給されると、各バーナ体５の混合室６に供給された混合ガスは、その一部が袖火用孔１０、１０を通って保炎空間イを上昇し、残りの大部分は主炎孔８、８に向かって流れて主炎孔８、８から噴出する。一方、二次空気通路４、４Ａ、４Ｂに供給された希薄混合ガスは、隣接する保炎板９、９間、保炎板９と仕切り壁３Ａとの間、保炎板９とバーナケース３の側壁３Ｂとの間などを上昇し、各副炎孔板１１の副炎孔１２、１２、中間副炎孔板１４の小孔１５、１５、各端部副炎孔板１６、１６の孔１７、１７から噴出する。
【００２７】
上述の状態で、点火ロッド３３Ａの先端とバーナ体５の主炎孔面７との間にスパークを生じさせると、主炎孔８、８から噴出する混合ガスが着火し、この着火炎が隣の副炎孔１２、１２から噴出する希薄混合ガスに火移りして、全体の燃焼が開始される。全体の燃焼開始により、各バーナ体５の主炎孔８上には高さの低い炎が形成され、各保炎空間イ上には袖火炎が形成され、各バーナ体５、５の上方と副炎孔板１１、１１、中間副炎孔板１４、端部副炎孔板１６の上方には、互いに連なって保炎性の高い安定した大きな炎が形成され、ＮＯｘ発生量の少ない希薄混合ガス多段燃焼が行われる。
【００２８】
ここで、強燃焼時には、制御部３５により、電磁弁２５、２６の双方が開放されて、第１主ノズル２９、２９及び第２主ノズル３２、３２から全数のバーナ体５、５にガス燃料が供給されるとともに、第１補助ノズル２８及び第２補助ノズル３１からバーナケース３の左右の部屋Ｘ、Ｙにガス燃料が供給される。また、燃焼状態が強燃焼から燃焼量を絞った弱燃焼に切り換わった場合は、制御部３５により、電磁弁２５は開放されたままであるが、電磁弁２６が閉められ、この電磁弁２６の閉塞により、第２主ノズル３２、３２からのガス燃料の供給が停止されるとともに、第２補助ノズル３１からのガス燃料の供給も停止される。そのため、バーナケース３の右の部屋Ｙに設置されたバーナ体５、５及び、この右の部屋Ｙの二次空気通路４、４Ａ、４Ｂには、ガス燃料が供給されず、ＮＯｘ発生量の少ない希薄混合ガス多段燃焼を行いつつ、燃焼させるバーナ本数の切り換えにより、ガス漏れを心配することなく、燃焼幅を拡大することができる。
【００２９】
本実施形態例によれば、頂部の主炎孔形成面７に多数の主炎孔８、８を有するバーナ体５、５を相互に二次空気通路４、４Ａ、４Ｂ（通気間隔）を存してバーナケース３内に６本並設し、前記二次空気通路４、４Ａ、４Ｂには、バーナ体５の混合室６に供給する約１〜１．３のやや希薄な混合ガス混合ガスよりも更に希薄な空気比が約１．５〜１．９の希薄混合ガスを供給するようにしたガス燃焼装置において、前記バーナケース３の中間位置にバーナケース３内を左右の部屋Ｘ、Ｙに仕切る仕切り壁３Ａを立設し、この仕切り壁３Ａにて仕切られた左右の部屋Ｘ、Ｙに、前記バーナ体５、５をそれぞれ３本ずつ配設したものであるから、燃焼時には、各バーナ体５の主炎孔８上には高さの低い炎（一次火炎）が形成され、各保炎空間イ上には袖火炎が形成され、各バーナ体５、５の上方と副炎孔板１１、１１、中間副炎孔板１４、端部副炎孔板１６の上方には、互いに連なって保炎性の高い安定した大きな炎（二次火炎）が形成されて、希薄混合ガス多段燃焼による低ＮＯｘ燃焼を行わせることができるばかりでなく、バーナケース３の左右の部屋Ｘ、Ｙのバーナ体５、５の６本を燃焼させる強燃焼時には、左右の部屋Ｘ、Ｙの二次空気通路４、４Ａ、４Ｂ（通気間隔）に希薄混合ガスを供給し、バーナケース３の左の部屋Ｘの３本のバーナ体５を燃焼させる弱燃焼時には、バーナケース３の右の部屋Ｙの二次空気通路４、４Ａ、４Ｂ（通気間隔）に空気のみを供給してガス燃料を供給させない燃焼制御が可能となり、そのため、燃焼させるバーナ体の本数を切り換えて燃焼させることができ、ガス漏れを心配せずに、燃焼幅を拡大できる。
【００３０】
また、バーナ体５、５間の各二次空気通路４の上部には、多数の副炎孔１２、１２を副炎孔形成面１１Ａに有する副炎孔板１１を設けた構成としているので、バーナ体５、５間の二次空気通路４、４を流れる二次空気量やガス量が突発的に増減して希薄混合ガス状態が崩れ、空気比が約１に近い引火しやすい混合ガスが二次空気通路４、４に流れた場合、或るいは、着火時に着火遅れが生じた場合に、副炎孔板１１の副炎孔形成面１１Ａに穿った多数の副炎孔１２、１２によって、希薄混合ガス噴出用の炎孔面積を従来よりも小さくして噴出速度を高めることが可能となり、二次空気通路４、４内への逆火を抑制できる。
【００３１】
また、前記バーナケース３の仕切り壁３Ａの両側の二次空気通路４Ａ、４Ａの上部に、径が約１ｍｍの希薄混合ガス噴出用の多数の小孔１５、１５をその長手方向の両サイドに沿うように２列に並べて小孔形成面１４Ａに穿った中間副炎孔板１４を、前記仕切り壁３Ａを跨いで設けた構成としているので、仕切り壁３Ａの両側の二次空気通路４Ａ、４Ａへの逆火を防止できるばかりでなく、点火時や弱燃焼から強燃焼に移行する時には、中間副炎孔板１４の小孔１５、１５に形成される炎がパイロット炎となってバーナケースの左の部屋Ｘから右の部屋Ｙへの火移りを良好ならしめるとともに、弱燃焼時には仕切り壁３Ａに隣接する燃焼中のバーナ体５の火炎が空気冷却されるのを中間副炎孔板１４の小孔１５、１５に形成される炎によって抑制でき、そのため、空気の冷却によって燃焼に与える悪影響が小さくなり、ＣＯの発生を低減できる。
【００３２】
また、中間副炎孔板１４の小孔形成面１４Ａに穿った多数の小孔１５、１５の総開口面積を、一つの副炎孔板１１の副炎孔形成面１１Ａに穿った多数の副炎孔１２、１２の総開口面積以下に設定しているので、仕切り壁３Ａに近接するバーナ体５の主炎孔８、８上に形成される短い炎（一次火炎）が、中間副炎孔板１４の小孔１５、１５から噴出する希薄混合ガスや空気によって乱されことがなく、安定化されるので、ＣＯの発生を一層低減できる。
【００３３】
また、上述の実施形態例においては、前記バーナケース３の両側壁３Ｂ、３Ｂと、これら両側壁３Ｂ、３Ｂに近接するバーナ体５、５との間の二次空気通路４Ｂ、４Ｂの上部に、径が約１ｍｍの希薄混合ガス噴出用の多数の孔１７、１７をその長手方向の中央部に沿うように１列に並べて孔形成面１６Ａに穿った端部副炎孔板１６、１６を設けた構成としているので、バーナケース３の両側壁３Ｂ、３Ｂとそれに近接するバーナ体５、５との間の二次空気通路４Ｂ、４Ｂへの逆火を防止できるとともに、この端部副炎孔板１６の多数の孔１７、１７に形成される炎により、外郭ケース２やそれに連なる熱交換器（図示せず）の壁面の過度の冷却を抑えることが可能となり、外郭ケース２や熱交換器（図示せず）の過度の冷却による悪影響が小さくなり、ＣＯの発生を低減できる。
【００３４】
また、端部副炎孔板１６の孔形成面１６Ａに穿った多数の孔１７、１７の総開口面積を、一つの副炎孔板１１の副炎孔形成面１１Ａに穿った多数の副炎孔１２、１２の総開口面積の半分以下に設定したことにより、バーナケース３の側壁３Ｂに近接配置されたバーナ体５、５の主炎孔８、８上に形成される短い炎（一次火炎）が、端部副炎孔板１６の孔１７、１７から噴出する希薄混合ガスによって乱されことがなく、安定化されるので、ＣＯの発生を一層低減できる。
【００３５】
【発明の効果】
本発明のガス燃焼装置においては、バーナケースの中間位置にバーナケース内を複数の部屋に仕切る仕切り壁を立設し、この仕切り壁にて仕切られた複数の部屋に、バーナ体をそれぞれ複数本ずつ配設した構成としているので、バーナ体の全数を燃焼させる強燃焼時には、全バーナ体間の通気間隔に希薄混合ガスを供給し、また、バーナ体の所定数を燃焼させる弱燃焼時には、燃焼させない側のバーナ体間の通気間隔に空気のみを供給する燃焼制御が可能となり、希薄混合ガス多段燃焼による低ＮＯｘ燃焼を行わせつつ、バーナ体の燃焼本数の切り換えによる燃焼幅の拡大が図れ、燃焼幅の広い良好な低ＮＯｘ燃焼を実現できる。
【００３６】
また、バーナ体間の各通気間隔の上部に、多数の副炎孔を有する副炎孔板をそれぞれ設けた構成としているので、バーナ体間の通気間隔を流れる二次空気量やガス量が突発的に増減して、希薄混合ガス状態が崩れた場合、或るいは、着火時に着火遅れが生じた場合に、副炎孔板に穿った多数の副炎孔によって、希薄混合ガス噴出用の炎孔面積の大きさを調節することが可能となり、通気間隔内への逆火を抑制できる。
【００３７】
さらにまた、仕切り壁の両側にある通気間隔の上部に、仕切り壁を跨いで多数の小孔を有する中間副炎孔板を設けた構成としているので、点火時や弱燃焼から強燃焼に移行する時には、中間副炎孔板の小孔に形成される炎がパイロット炎となって火移りを良好ならしめるとともに、弱燃焼時には仕切り壁に隣接する燃焼中のバーナ体の火炎が空気冷却されるのを中間副炎孔板の小孔に形成される炎によって抑制でき、そのため、空気の冷却によって燃焼に与える悪影響が小さくなり、ＣＯの発生を低減できる。
【図面の簡単な説明】
【図１】本発明の一実施形態例を示すガス燃焼装置の平面図である。
【図２】同じく全体構成を説明する説明図である。
【図３】同じく図１のＡ−Ａ断面による縦断面図である。
【図４】同じく要部の斜視図である。
【図５】同じく図１のＢ−Ｂ断面による縦断面図である。
【符号の説明】
３      バーナケース
３Ａ    仕切り壁
４      二次空気通路（通気間隔）
４Ａ    二次空気通路（通気間隔）
４Ｂ    二次空気通路（通気間隔）
５      バーナ体
８      主炎孔
１１      副炎孔板
１２      副炎孔
１４      中間副炎孔板
１５      小孔
Ｘ      バーナケースの部屋
Ｙ      バーナケースの部屋
【図１】
0003545114.tif 000002
【図２】
0003545114.tif 000003
【図３】
0003545114.tif 000004
【図４】
0003545114.tif 000005
【図５】
0003545114.tif 000006